(57)【要約】【課題】著作権保護されたデータを含むデジタル音声データの記録において、受信するデジタル音声データの再生位置を自由に制御できない場合においても、著作権保護対象のデジタル音声データの最初の部分が記録されてしまうことがないようにする。【解決手段】著作権保護されたデータを含むデータを半導体メモリに蓄積し、著作権保護判定により記録が許可された場合に蓄積したデータの記録を行い、記録が許可されない場合に蓄積したデータの破棄を行う方法であって、半導体メモリの現在蓄積位置を示すポインタを半導体メモリの蓄積開始時の位置を示すポインタの位置まで戻すことによりデータの破棄を行う（Ｓ７０７）。【選択図】図７
2007109290.tif 000002
【特許請求の範囲】
【請求項１】
著作権保護されたデータを含むデータを半導体メモリに蓄積し、著作権保護判定により記録が許可された場合に蓄積したデータの記録を行い、記録が許可されない場合に蓄積したデータの破棄を行う方法であって、
前記半導体メモリの現在蓄積位置を示すポインタを前記半導体メモリの蓄積開始時の位置を示すポインタの位置まで戻すことによりデータの破棄を行うデータ記録方法。
【請求項２】
著作権保護されたデータを含むデータを蓄積する半導体メモリと、著作権保護判定により記録が許可された場合に蓄積したデータの記録を行い、記録が許可されない場合に蓄積したデータの破棄を行う制御手段とを備える装置であって、
前記半導体メモリの現在蓄積位置を示すポインタを前記半導体メモリの蓄積開始時の位置を示すポインタの位置まで戻すことによりデータの破棄を行う手段を備えるデータ記録装置。
【発明の詳細な説明】
【技術分野】
【０００１】
本発明はオーディオシステムにおける著作権保護されたデータの記録方法および装置に関する。
【背景技術】
【０００２】
デジタル音声データの著作権保護の仕組みとして、デジタル音声データに含まれる制御情報の特定の１ビットが４〜１０Hzで０と１を繰り返す場合にデジタルコピーを不可とするように規定されている。
【０００３】
そのため、著作権保護されたデジタル音声データを記録する場合は、まず著作権保護の判定のために特定の１ビットが４〜１０Hzで０と１を繰り返すかを確認する必要がある。その結果、判定が確定するまでの部分がコピーされてしまい、短いトラックが作成されてしまうという問題がある。
【０００４】
図２は著作権保護されたデジタル音声データにおける著作権保護ビットを表した図である。このビットが４〜１０Hz、すなわち１００ms〜２５０msで０と１を繰り返す場合にデジタルコピーを禁止する仕組みとなっている。
【０００５】
図３は著作権保護判定を行う処理フローである。まず、周波数監視用のタイマカウンタを初期化する（ステップＳ３０１）。信号の“１”エッジを検出した場合（ステップＳ３０２）は“１”監視用タイマの値が１００ms〜２５０msの範囲に入っているか判断する（ステップＳ３０３）。ステップＳ３０２で“１”エッジを検出していない場合は“０”エッジ検出判定（ステップＳ３０７）に遷移する。
【０００６】
ステップＳ３０３で１００ms〜２５０msの範囲に入っている場合はデジタルコピー禁止と判断し（ステップＳ３０４）、“１”監視用タイマを初期化する（ステップＳ３０５）。その後は、監視用タイマのインクリメントを行いつつ（ステップＳ３０６）、ステップＳ３０２の“１”エッジ検出待ちへ遷移する。
【０００７】
信号の“０”エッジを検出した場合（ステップＳ３０７）は、“０”監視用タイマの値が１００ms〜２５０msの範囲に入っているか判断する（ステップＳ３０８）。ステップＳ３０７で“０”エッジを検出していない場合は、監視用タイマのインクリメントを行いつつ（ステップＳ３０６）、ステップＳ３０２の“１”エッジ検出待ちへ遷移する。
【０００８】
ステップＳ３０８で１００ms〜２５０msの範囲に入っている場合は、デジタルコピー禁止と判断し（ステップＳ３０９）、“０”監視用タイマを初期化する（ステップＳ３１０）。その後は、監視用タイマのインクリメントを行いつつ（ステップＳ３０６）、ステップＳ３０２の“１”エッジ検出待ちへ遷移する。
【０００９】
図４は、従来のデジタル音声データ記録時の著作権保護判定の流れを示す処理フローであり、デジタル記録の記録開始から著作権保護判定され、記録が一時停止されるときの処理を示す。ここでは、デジタル音声データの出力装置をＣｏｍｐａｃｔＤｉｓｃ再生装置（以下、ＣＤ）、デジタル音声データの記録媒体をＭｉｎｉＤｉｓｃ（以下、ＭＤ）としている。
【００１０】
また、図５は著作権保護判定を行う処理の各ステップにおける半導体メモリの状態を示す図である。図５において、５０１は半導体メモリの記録状態を表したものであり、ＣＤから送られてきたデジタル音声データはこの半導体メモリに一時蓄積され、所定量が蓄積されるとＭＤに書き込まれる。５０２は蓄積開始時のポインタ位置、５０３は現在蓄積位置を示すポインタ位置である。５０２と５０３に挟まれた部分が半導体メモリに蓄積されているデジタル音声データを表す。
【００１１】
次に、図４および図５により従来の著作権保護されたデジタル音声データ記録時の処理を説明する。記録を開始するとＣＤ側からデジタル音声データの出力が開始される（ステップＳ４０１）。ＭＤ側は入力されたデジタル音声データの著作権保護判定処理を図３により開始する（ステップＳ４０２）。同時にデジタル音声データの半導体メモリへの蓄積を開始する（ステップＳ４０３）。
【００１２】
このとき、半導体メモリの状態５０１では、著作権保護判定（ステップＳ４０４）で判定が確定するまでの間、図５（ａ）に示すようにＣＤから送られてきたデジタル音声データが蓄積される。
【００１３】
著作権保護判定が確定し（ステップＳ４０４）、デジタルコピー禁止でなければ通常の記録処理を継続する（ステップＳ４０９）。デジタルコピー禁止と判断した場合は半導体メモリへの蓄積処理を停止する（ステップＳ４０５）。
【００１４】
図５（ｂ）は著作権保護判定が行われ、デジタルコピー禁止と判断されたためＭＤへの書き込みが停止されたときの状態を示している。蓄積開始時のポインタが（Ａ）の位置にあり、著作権保護判定が確定し半導体メモリへの蓄積を停止した状態ではポインタが（Ｃ）の位置にある。５０４は半導体メモリに蓄積されたデジタル音声データを表し、この部分は本来はＭＤに記録されるべきではないデータである。
【００１５】
その後、ＴＮＯの変化を監視し（ステップＳ４０６）、変化があった場合は再度著作権保護判定処理を開始する（ステップＳ４０２）。その場合、前回蓄積されたデータが半導体メモリ内に残っているため、半導体メモリの状態は図５（ｃ）のようになる。ここで、５０５は著作権保護されていないデータの蓄積状態を表す。このままＭＤに書き込みが行われた場合、本来は５０５の１トラックのみが録音可能であるのに対して、５０４および５０５の２トラックが作成されることになる。
【００１６】
また、ＴＮＯの変化を監視中に使用者が停止を起動した場合は（ステップＳ４０７）、記録の停止処理を実施する（ステップＳ４０８）。
【００１７】
図６は上記従来の方法によりＣＤからＭＤへの記録が実施されたときのトラックの記録結果を示す図である。６０１はＣＤから出力されるデジタル音声データのトラック状態、６０２は記録されたＭＤのトラック状態を示している。ＣＤのトラック状態６０１のトラック２が著作権保護トラックを表しており、ＭＤへの記録が実施された結果、ＭＤ側に短いトラック２が作成される（６０２）。その結果、記録されてもよいトラックが３トラックであるのに対して４トラックが記録されてしまう。
【００１８】
このように、従来の著作権保護されたデジタル音声データの記録方式では、デジタル音声データの著作権保護判定の確定までに時間を要することにより、デジタル音声データの最初の部分が記録され、短いトラックが作成されてしまう問題があった。
【００１９】
このような問題を解決するために、従来のデジタル記録における著作権保護の方法として、著作権保護が確定するまでの間は記録を行わないように制御したり、デジタル音声データを送る側で予め著作権保護の判定を行ったりするものがある。
【００２０】
例えば、特許文献１に開示された技術によれば、ＣＤから再生したデジタル音声データの著作権保護判定が確定するまでの間はＭＤへの記録を行わないように記録待機状態に制御し、著作権保護判定が確定しデジタルコピー禁止でないと判定した場合は、著作権保護判定を開始した位置から再度ＣＤの再生を行うようにしている。
【特許文献１】特開平７−３２６１３０号公報
【発明の開示】
【発明が解決しようとする課題】
【００２１】
特許文献１に開示された技術によれば、第１の媒体から再生したデジタル音声データの著作権保護判定が確定するまでの間は第２の媒体への記録を行わないため、著作権保護対象のデジタル音声データの最初の部分が記録されてしまうことがなく、デジタルコピー禁止でないと判定した場合は著作権保護判定開始位置から再度第１の媒体の再生を行うため、前記従来の問題点が確実に解決されている。
【００２２】
しかしながら、この技術は第１の媒体からの再生位置を自由に制御できることを前提にしているものであり、第１の媒体からの再生位置を自由に制御できない場合には、著作権保護判定開始位置から再度第１の媒体の再生を行うことができず、著作権保護判定が確定するまでの間に第２の媒体への記録を行わざるを得なくなる。
【００２３】
本発明は、データを記録媒体に記録する際に、データの再生位置を自由に制御できない場合においても、著作権保護対象データの最初の部分が記録されてしまうことがないようにするデータ記録方法及び装置を提供することを目的とする。
【課題を解決するための手段】
【００２４】
本発明は、著作権保護されたデータを含むデータを半導体メモリに蓄積し、著作権保護判定により記録が許可された場合に蓄積したデータの記録を行い、記録が許可されない場合に蓄積したデータの破棄を行う方法であって、前記半導体メモリの現在蓄積位置を示すポインタを前記半導体メモリの蓄積開始時の位置を示すポインタの位置まで戻すことによりデータの破棄を行う。
【００２５】
本発明は、著作権保護されたデータを含むデータを蓄積する半導体メモリと、著作権保護判定により記録が許可された場合に蓄積したデータの記録を行い、記録が許可されない場合に蓄積したデータの破棄を行う制御手段とを備える装置であって、前記半導体メモリの現在蓄積位置を示すポインタを前記半導体メモリの蓄積開始時の位置を示すポインタの位置まで戻すことによりデータの破棄を行う手段を備える。
【発明の効果】
【００２６】
本発明によれば、著作権保護されたデータを含むデータの記録において、データコピー禁止であると判定された場合は、半導体メモリの現在蓄積位置を示すポインタを半導体メモリの蓄積開始時の位置を示すポインタの位置まで戻すことによりデータの破棄を行うことで、著作権保護対象のデータの最初の部分が記録されてしまうことを防止することができ、デジタルコピー禁止でないトラックのみの記録が可能となる。
【発明を実施するための最良の形態】
【００２７】
図１は本発明におけるデータ記録装置を示すブロック図である。図において、１００は使用者が操作するためのキー入力部、１０１は電源遮断時でも記憶させておくための不揮発性半導体メモリ、１０２はディスクから読み出された音声圧縮データを格納する半導体メモリ、１０３は圧縮オーディオシステム全体を制御しているマイクロコンピュータ、１０４は圧縮された音声データの伸長や、ピックアップをディスクに追従させるための制御を行うシステムコントローラ、１０５は伸長された音声データをアナログ信号に変換するＤ／Ａ変換機、１０６はアナログ信号を増幅するためのアンプ、１０７はスピーカ、１０８はＭＤ、１０９はディスクの回転制御を行うスピンドルモータ、１１０はピックアップ、１１１はピックアップから読みこまれた信号を増幅するためのＲＦアンプ、１１２はピックアップをディスクの内外周方向へ動かすトラバースモータ、１１３は書き込みを行う磁気をヘッド、１１４はデジタル音声データを出力させる装置としてのＣＤである。
【００２８】
再生したデジタル音声データをＭＤに記録する際は、ＣＤ１１４から送られてきたデジタル音声データが半導体メモリ１０２に一時蓄積され、所定量が蓄積されると磁気ヘッド１１３を通してＭＤ１０８に書き込まれる。
【００２９】
図７は本発明の一実施の形態におけるデジタル音声データ記録時の著作権保護判定の流れを示す処理フローである。また、図８は著作権保護判定を行う処理の各ステップにおける半導体メモリ１０２の状態を示す図であり、図９はＭＤへの記録が実施されたときのトラックの記録結果を示す図である。
【００３０】
図７において、まずＣＤ１１４のデジタル音声データの出力を開始する（ステップＳ７０１）。同時にＭＤ側はコピー禁止判定処理を開始する（ステップＳ７０２）。ここで半導体メモリ１０２内のデータ蓄積を開始するポインタ位置を保持し（ステップＳ７０３）、半導体メモリ１０２へのデータ蓄積を開始する（ステップＳ７０４）。
【００３１】
ＣＤからデジタル音声データが送られてくると直ちに半導体メモリ１０１への蓄積を行うため、図３に示した著作権保護判定処理フローで判定が確定するまでの間、半導体メモリ１０１にデジタル音声データが蓄積される。
【００３２】
図８（ａ）においては、８０１がこのときの半導体メモリの記録状態を表したものであり、８０２は蓄積開始時のポインタ位置、８０３は現在蓄積位置を示すポインタ位置である。８０２と８０３に挟まれた部分が蓄積されているデジタル音声データを表す。
【００３３】
著作権保護判定が確定し（ステップＳ７０５）、デジタルコピー禁止と判断した場合は半導体メモリへの蓄積を停止する（ステップＳ７０６）。図８（ｂ）は、このときの半導体メモリの状態を表したものである。８０４は半導体メモリへの蓄積が停止されるまでに蓄積されたデジタル音声データを表し、この部分は本来記録されるべきではないデータである。
【００３４】
このとき、蓄積開始時のポインタは（Ａ）の位置にあり、著作権保護が確定し半導体メモリ１０２への蓄積を停止した時点での現在蓄積位置を示すポインタは（Ｃ）の位置にある。ここで、現在蓄積位置を示すポインタを蓄積開始時に保持したポイント（Ａ）に戻すことにより、著作権保護確定までに蓄積されたデータを破棄する（ステップＳ７０７）。図８（ｃ）は、このときの半導体メモリの状態を表したものである。
【００３５】
その後、ＴＮＯ情報に変化があるまではデータの蓄積は停止され、ＴＮＯに変化が発生した場合には（ステップＳ７０８）、再度コピー禁止判定処理を開始する（ステップＳ７０２）。コピー禁止判定完了待ちで（ステップＳ７０５）、次のトラックでは著作権保護されていない場合は通常の記録処理を開始する（ステップＳ７１１）。
【００３６】
図８（ｄ）は、このときの半導体メモリの状態を表したものである。著作権保護確定までに蓄積されたデータは破棄されており、８０５は次のトラックの著作権保護されていないデータの蓄積状態を表している。この状態で記録が実施された場合、デジタルコピー可能な１トラックのみがＭＤ１０８に書き込まれる。
【００３７】
ステップＳ７０８でＴＮＯの変化検出待ちをしている間に使用者などにより停止要求が発生した場合は（ステップＳ７０９）、通常の停止処理を実行する（ステップＳ７１０）。
【００３８】
その結果、図９に示すように、ＣＤのトラック内に著作権保護されたトラックが存在している場合でも、著作権保護判定処理までに蓄積されたデータを半導体メモリ１０２上のポインタ操作により破棄することにより、デジタルコピー禁止のデータトラックが記録されてしまうことがなくなる。
【産業上の利用可能性】
【００３９】
本発明は、著作権保護されたデータを含むデータの記録において、データコピー禁止であると判定された場合は、半導体メモリの現在蓄積位置を示すポインタを半導体メモリの蓄積開始時の位置を示すポインタの位置まで戻すことによりデータの破棄を行うことで、著作権保護対象のデータの最初の部分が記録されてしまうことを防止することができ、デジタルコピー禁止でないトラックのみの記録が可能となるという効果を有し、オーディオシステムにおける著作権保護されたデータの記録技術等として有用である。
【図面の簡単な説明】
【００４０】
【図１】本発明におけるデータ記録装置の構成を示すブロック図。
【図２】著作権保護されたデジタル音声データにおける著作権保護ビットを表した図。
【図３】著作権保護判定を行う処理フロー図。
【図４】従来の著作権保護デジタル音声データ記録方法を示す処理フロー図。
【図５】従来の著作権保護デジタル音声データ記録方法での半導体メモリの状態図。
【図６】従来の著作権保護デジタル音声データ記録方法による記録結果を示す図。
【図７】本発明の著作権保護デジタル音声データ記録方法を示す処理フロー図。
【図８】本発明の著作権保護デジタル音声データ記録方法での半導体メモリの状態図。
【図９】本発明の著作権保護デジタル音声データ記録方法による記録結果を示す図。
【符号の説明】
【００４１】
１００  キー入力部
１０１  不揮発性半導体メモリ
１０２  半導体メモリ
１０３  マイクロコンピュータ
１０４  システムコントローラ
１０５  Ｄ／Ａ変換機
１０６  増幅アンプ
１０７  スピーカ
１０８  ＭＤ
１０９  スピンドルモータ
１１０  ピックアップ
１１１  ＲＦアンプ
１１２  トラバースモータ
１１３  磁気ヘッド
１１４  ＣＤ
５０１、８０１  半導体メモリ記録状態
５０２、８０２  蓄積開始時のポインタ位置
５０３、８０３  現在蓄積位置を示すポインタ位置
６０１、９０１  ＣＤから出力されるデジタル音声データのトラック状態
６０２、９０２  ＭＤに記録されたデジタル音声データのトラック状態
Ｓ３０１〜Ｓ３１０  著作権保護判定処理ステップ
Ｓ４０１〜Ｓ４０９  従来の著作権保護デジタル音声データ記録方法ステップ
Ｓ７０１〜Ｓ７１１  本発明の著作権保護デジタル音声データ記録方法ステップ
【図１】
2007109290.tif 000003
【図２】
2007109290.tif 000004
【図３】
2007109290.tif 000005
【図４】
2007109290.tif 000006
【図５】
2007109290.tif 000007
【図６】
2007109290.tif 000008
【図７】
2007109290.tif 000009
【図８】
2007109290.tif 000010
【図９】
2007109290.tif 000011